(57)【要約】【課題】高周波フレキシブルフラットケーブルを提供する。【解決手段】第１の金属遮断層と、第１の金属遮断層の一側に貼り付けられる第１の低誘電体接着層と、第１の金属遮断層の他側に貼り付けられる第２の低誘電体接着層と、それぞれ第１の低誘電体接着層及び第２の低誘電体接着層に貼り付けられる少なくとも２つの導体層と、を含む高周波フレキシブルフラットケーブル。また、高周波フレキシブルフラットケーブルは、第３の低誘電体接着層と、第４の低誘電体接着層と、第３の低誘電体接着層によって導体層外側に貼り付けられる第２の金属遮断層と、第４の低誘電体接着層によって導体層外側に貼り付けられる第３の金属遮断層を更に含み、必要に応じてワイヤインピーダンスを調整する。【選択図】図１
2020087931.tif 000002
【特許請求の範囲】
【請求項１】
第１の金属遮断層と、
前記第１の金属遮断層の一側に貼り付けられる第１の低誘電体接着層と、
前記第１の金属遮断層の他側に貼り付けられる第２の低誘電体接着層と、
それぞれ前記第１の低誘電体接着層及び前記第２の低誘電体接着層に貼り付けられる少なくとも２つの導体層と、
を含む高周波フレキシブルフラットケーブル。
【請求項２】
それぞれ２つの前記導体層に貼り付けられる第３の低誘電体接着層及び第４の低誘電体接着層を更に含む請求項１に記載の高周波フレキシブルフラットケーブル。
【請求項３】
前記第３の低誘電体接着層の外側に貼り付けられる第２の金属遮断層と、
前記第４の低誘電体接着層の外側に貼り付けられる第３の金属遮断層と、
を更に含む請求項２に記載の高周波フレキシブルフラットケーブル。
【請求項４】
前記導体層の各々は、複数の金属導線及び前記金属導線を覆う絶縁層を含む請求項２〜３の何れか１項に記載の高周波フレキシブルフラットケーブル。
【請求項５】
前記第１の低誘電体接着層、前記第２の低誘電体接着層、前記第３の低誘電体接着層及び前記第４の低誘電体接着層の誘電率は、２〜４にある請求項２〜４の何れか１項に記載の高周波フレキシブルフラットケーブル。
【請求項６】
前記第１の低誘電体接着層、前記第２の低誘電体接着層、前記第３の低誘電体接着層及び前記第４の低誘電体接着層の厚さは、０．１ミリメートル〜３ミリメートルにある請求項２〜５の何れか１項に記載の高周波フレキシブルフラットケーブル。
【請求項７】
前記絶縁層の材料は、エポキシ樹脂、ポリエステル、ポリイミド、及びそれらの誘導体からなる群から選ばれる請求項２〜６の何れか１項に記載の高周波フレキシブルフラットケーブル。
【請求項８】
前記第１の低誘電体接着層の厚さは、前記第３の低誘電体接着層と異なる請求項２〜７の何れか１項に記載の高周波フレキシブルフラットケーブル。
【請求項９】
前記第１の低誘電体接着層、前記第２の低誘電体接着層、前記第３の低誘電体接着層及び前記第４の低誘電体接着層の厚さは、それぞれ異なる請求項２〜８の何れか１項に記載の高周波フレキシブルフラットケーブル。
【請求項１０】
前記第１の低誘電体接着層、前記第２の低誘電体接着層、前記第３の低誘電体接着層及び前記第４の低誘電体接着層の厚さは、同じである請求項２〜９の何れか１項に記載の高周波フレキシブルフラットケーブル。
【発明の詳細な説明】
【技術分野】
【０００１】
本発明は、高周波フレキシブルフラットケーブルに関し、特に、多層構造の高周波フレキシブルフラットケーブルに関する。
【背景技術】
【０００２】
様々な電子製品の技術の継続的な進歩や連続的な革新につれて、新規な電子製品は、比較的多くの帯域幅を必要とする。従って、今の世界は、ますます情報の迅速で信頼的な伝送に依存するようになる。
【０００３】
半導体は、技術的進歩を続けており、ＰＣバスバーアーキテクチャ、ネットワークインフラストラクチャ、及びデジタル無線通信で広く使用されている。パーソナルコンピュータ、特にサーバープロセッサの速度がＧＨｚの範囲内にアップグレードされたと同時に、メモリ転送量及び内部バスバー速度も同時に上昇した。高速なデータ転送技術は、更に、３Ｄゲームやコンピューター援用設計プログラム等のようなより強力なコンピューターアプリケーションをサポートする。先進的な３Ｄ画像では、ＣＰＵ、メモリ、ディスプレイカードで大量のデータを転送する必要がある。
【０００４】
しかしながら、コンピューター技術は、帯域幅情報の時代の一部にすぎない。デジタル通信設備の設計エンジニアも、徐々により高周波のデータ伝送技術を採用している。同時に、デジタル高画質ビデオ技術の分野では、高画質でインタラクティブなビデオを伝送する次世代のデバイスが設計されている。多数の技術は、データ転送率の向上を絶えずに推進している。新たなシリアルバスは、パラレルバスバーアーキテクチャのボトルネックを解消している。
【０００５】
徐々に増加する帯域幅は、デジタルシステムの設計に多くの課題を課し、従来の数ミリ秒内で発生したデータのインタラクティブは、現在、数ナノ秒で測定されるようになる。必要な信号をより正確に伝送するために、どのようにワイヤの信号伝送の正確さと速度を向上させるかは、業界とユーザーに望まれている。
【発明の概要】
【発明が解決しようとする課題】
【０００６】
発明の内容は、読者に本開示内容を基本的に理解させるように、本開示内容の簡略化された概要を提供する。この発明の内容は、本開示内容の完備な記述ではなく、本発明の実施例の重要・肝心な素子を指摘し、又は本発明の範囲を限定することを意図するものではない。
【０００７】
本発明内容の目的の一つは、電磁干渉（Ｅｌｅｃｔｒｏｍａｇｎｅｔｉｃ  Ｉｎｔｅｒｆｅｒｅｎｃｅ；ＥＭＩ）を効果的に低減させるとともに、外部ノイズに対する遮蔽能力を向上させることのできる高周波フレキシブルフラットケーブルを提供することにある。
【課題を解決するための手段】
【０００８】
上記の目的を達成するために、本発明内容の技術的態様の一つは、第１の金属遮断層と、第１の金属遮断層の一側に貼り付けられる第１の低誘電体接着層と、第１の金属遮断層の他側に貼り付けられる第２の低誘電体接着層と、それぞれ第１の低誘電体接着層及び第２の低誘電体接着層に貼り付けられる少なくとも２つの導体層と、を含む高周波フレキシブルフラットケーブルに関する。
【０００９】
また、高周波フレキシブルフラットケーブルは、それぞれ２つの導体層に貼り付けられる第３の低誘電体接着層及び第４の低誘電体接着層を更に含む。
【００１０】
いくつかの実施例において、高周波フレキシブルフラットケーブルは、第３の低誘電体接着層の外側に貼り付けられる第２の金属遮断層と、第４の低誘電体接着層の外側に貼り付けられる第３の金属遮断層と、を更に含む。
【００１１】
いくつかの実施例において、導体層の各々は、複数の金属導線及び金属導線を覆う絶縁層を含む。
【００１２】
いくつかの実施例において、第１の低誘電体接着層、第２の低誘電体接着層、第３の低誘電体接着層及び第４の低誘電体接着層の誘電率は、２〜４にある。
【００１３】
いくつかの実施例において、第１の低誘電体接着層、第２の低誘電体接着層、第３の低誘電体接着層及び第４の低誘電体接着層の厚さは、０．１ミリメートル〜３ミリメートルにある。
【００１４】
いくつかの実施例において、絶縁層の材料は、エポキシ樹脂、ポリエステル、ポリイミド、及びそれらの誘導体からなる群から選ばれる。
【００１５】
いくつかの実施例において、第１の低誘電体接着層の厚さは、第３の低誘電体接着層と異なる。
【００１６】
いくつかの実施例において、第１の低誘電体接着層、第２の低誘電体接着層、第３の低誘電体接着層及び第４の低誘電体接着層の厚さは、それぞれ異なる。
【００１７】
いくつかの実施例において、第１の低誘電体接着層、第２の低誘電体接着層、第３の低誘電体接着層及び第４の低誘電体接着層の厚さは、同じである。
【００１８】
以上をまとめると、高周波フレキシブルフラットケーブルは、低誘電体接着層によって金属遮断層と導体層を接着すると共に、低誘電体接着層によってワイヤインピーダンスを調整し、また金属遮断層によって電磁干渉を低減し、電磁干渉遮蔽の効果を向上させ、且つ外部ノイズを効果的に遮蔽し、高周波信号伝送の品質と速度を効果的に向上させ、ワイヤ製造のプロセスの工程を省き、更にマルチレベルの高周波信号伝送の要求を達成することができる。
【図面の簡単な説明】
【００１９】
下記添付図面についての説明は、本発明の上記及び他の目的、特徴、メリット及び実施例をより分かりやすくするためのものである。
【図１】本開示の一実施例による高周波フレキシブルフラットケーブルを示す模式図である。
【発明を実施するための形態】
【００２０】
以下、実施例を挙げて添付図面に合わせて詳しく説明するが、提供された実施例は、本発明に含まれる範囲を制限するものではなく、構造作動についての記述は、その実行順序を制限するものでもなく、素子から改めて組み合わせた如何なる構造や、それにより生じる均等な効果を果たす装置も、本発明の範囲に含まれる。また、図面は、単に説明するためのものであり、原寸に基づいて作図されたものではない。容易に理解させるために、下記説明において、同一や類似な素子については同一の番号を付けて説明する。
【００２１】
全体の明細書と特許請求の範囲に用いられる用語（ｔｅｒｍｓ）は、特に明記されない限り、一般的に、用語ごとにこの分野に、ここで開示された内容及び特殊内容に使用される一般的な意味を持つ。本開示を説明するためのある用語については、当業者に本開示に関する説明について更にガイドするために、下記又はこの明細書の別の個所で検討する。
【００２２】
実施形態と特許請求の範囲において、本文には冠詞に対して特別に限定しない限り、「一」と「前記」は、単一又は複数を指すことができる。工程で使用される番号は、前後順序及び実施形態を制限するためのものではなく、説明するために工程を示すためのみに使用される。
【００２３】
次に、本文に使用される「含む」、「備える」、「有する」、「含有」等は、何れも開放的な用語であり、つまり、含むがそれに限定されないことを指す。
【００２４】
図１を参照すると、本発明の一実施例による高周波フレキシブルフラットケーブルを示す模式図である。図に示すように、高周波フレキシブルフラットケーブル１００は、第１の金属遮断層１１０と、第１の金属遮断層１１０の一側に直接貼り付けられる第１の低誘電体接着層１２１と、第１の金属遮断層１１０の他側に直接貼り付けられる第２の低誘電体接着層１２２と、それぞれ第１の低誘電体接着層１２１及び第２の低誘電体接着層１２２に直接貼り付けられる少なくとも２つの導体層１３０と、を含む。
【００２５】
高周波フレキシブルフラットケーブル１００は、第３の低誘電体接着層１２３、第４の低誘電体接着層１２４、第２の金属遮断層１４０及び第３の金属遮断層１５０を更に含む。第３の低誘電体接着層１２３と第４の低誘電体接着層１２４は、それぞれ導体層１３０の外側に直接貼り付けられる。第２の金属遮断層１４０は第３の低誘電体接着層１２３の外側に直接貼り付けられ、第３の金属遮断層１５０は第４の低誘電体接着層１２４の外側に直接貼り付けられる。
【００２６】
いくつかの実施例において、第１の低誘電体接着層１２１、第２の低誘電体接着層１２２、第３の低誘電体接着層１２３及び第４の低誘電体接着層１２４の誘電率は、約２〜４にある。
【００２７】
いくつかの実施例において、第１の低誘電体接着層１２１、第２の低誘電体接着層１２２、第３の低誘電体接着層１２３及び第４の低誘電体接着層１２４の厚さは、０．１ミリメートル〜３ミリメートルにある。
【００２８】
従って、第１の低誘電体接着層１２１、第２の低誘電体接着層１２２、第３の低誘電体接着層１２３及び第４の低誘電体接着層１２４の厚さ及び誘電率を制御することで、高周波フレキシブルフラットケーブル１００のワイヤーインピーダンスを効果的に調整して、信号伝送の品質を向上させることができる。特に高周波信号を伝送する場合、例えば５ギガヘルツ（ｇｉｇａｈｅｒｔｚ；ＧＨｚ）以上の信号を伝送する場合、ワイヤーインピーダンスを調整することで、信号インテグリティ（ｓｉｇｎａｌ  ｉｎｔｅｇｒｉｔｙ；ＳＩ）を向上させ、信号の反射等の問題を改善し、更に信号伝送の品質を効果的に向上させることができる。
【００２９】
いくつかの実施例において、低誘電体接着層の厚さを調整することで、ワイヤーインピーダンスを更に調整することができる。従って、必要なワイヤーインピーダンスを調整するように、第１の低誘電体接着層１２１の厚さは、第３の低誘電体接着層１２３と異なってよい。
【００３０】
いくつかの実施例において、必要なワイヤーインピーダンスを調整するように、第１の低誘電体接着層１２１と、第２の低誘電体接着層１２２と、第３の低誘電体接着層１２３と第４の低誘電体接着層１２４との厚さは、それぞれ異なってもよい。
【００３１】
いくつかの実施例において、必要なワイヤーインピーダンスを調整するように、第１の低誘電体接着層１２１と、第２の低誘電体接着層１２２と、第３の低誘電体接着層１２３と、第４の低誘電体接着層１２４との厚さは、同じであってよい。
【００３２】
いくつかの実施例において、導体層１３０は、複数の金属導線１３２及び金属導線１３２を覆う絶縁層１３４を含む。いくつかの実施例において、絶縁層１３４の材料は、エポキシ樹脂、ポリエステル、ポリイミド、及びそれらの誘導体からなる群から選ばれる。
【００３３】
また、第１の金属遮断層１１０、第２の金属遮断層１４０及び第３の金属遮断層１５０の設置によって、複数の導体層１３０を結合すると共に、信号間の干渉を回避し、電磁干渉遮蔽の効果を効果的に向上させ、外部ノイズを遮蔽して、信号伝送の品質を向上させることができる。
【００３４】
以上をまとめると、高周波フレキシブルフラットケーブルは、低誘電体接着層によって金属遮断層と導体層を接着すると共に、低誘電体接着層によってワイヤインピーダンスを調整し、また金属遮断層によって電磁干渉を低減し、電磁干渉遮蔽の効果を向上させ、且つ外部ノイズを効果的に遮蔽し、高周波信号伝送の品質と速度を効果的に向上させ、ワイヤ製造のプロセスの工程を省き、更にマルチレベルの高周波信号伝送の要求を達成することができる。
【００３５】
本開示の実施形態を前述の通りに開示したが、これは、本開示を限定するものではなく、当業者であれば、本開示の精神や範囲から逸脱しない限り、多様の変更や修飾を加えてもよいので、本開示の保護範囲は、後の特許請求の範囲で指定した内容を基準とするものである。
【符号の説明】
【００３６】
１００：高周波フレキシブルフラットケーブル
１１０：第１の金属遮断層
１２１：第１の低誘電体接着層
１２２：第２の低誘電体接着層
１２３：第３の低誘電体接着層
１２４：第４の低誘電体接着層
１３０：導体層
１３２：金属導線
１３４：絶縁層
１４０：第２の金属遮断層
１５０：第３の金属遮断層
【図１】
2020087931.tif 000003
【外国語明細書】
2020087931000001.pdf